(57)【要約】【課題】  ３種以上の種類（カテゴリー）を混乱することなく明確に分けて記入することができ、複数の日ごと記入欄を横断する時間を示す時間補助線を設ける必要を無くして記入し易くした日記欄を持つ手帳を提供する。【解決手段】  左ページ１０に一週間分の横長の日ごと記入欄１６を上下方向に並設し、各日ごと記入欄１６にはその長手方向に時間目盛り２０を付した日記欄を持つ手帳であって、各日ごと記入欄１６を分ける左右方向の日分け用の仕切り線１８と、これらの仕切り線１８に付された時間目盛り２０と、各日ごと記入欄１６の幅内を上下に仕分ける複数の補助線２８とを備え、補助線２８には時間目盛り２０に対応した位置にマーク３０が付されている。【選択図】図１
2015214126.tif 000002
【特許請求の範囲】
【請求項１】
左ページに一週間分の横長の日ごと記入欄を上下方向に並設し、各日ごと記入欄にはその長手方向に時間目盛りを付した日記欄を持つ手帳であって、
各日ごと記入欄を分ける左右方向の日分け用の仕切り線と、これらの仕切り線に付された時間目盛りと、前記各日ごと記入欄の幅内を上下に仕分ける複数の補助線とを備え、前記補助線には前記時間目盛りに対応した位置にマークが付されていることを特徴とする日記欄を持つ手帳。
【請求項２】
前記補助線は、各日ごと記入欄の幅内に２本付されて各日ごと記入欄の上下幅内を３行に仕分けるものである請求項１の日記欄を持つ手帳。
【請求項３】
前記補助線は前記仕切り線よりも細く目立たない破線であり、前記補助線に付したマークは前記時間目盛りに対応した位置に設けた小点である請求項１の日記欄を持つ手帳。
【請求項４】
右ページには、前記左ページの仕切り線および補助線の延長上に設けた他の補助線が付され、これらの補助線のうち前記仕切り線の延長上の補助線には前記日ごと記入欄の補助線に設けたマークと同じ間隔で他の補助マークが付されている請求項１の日記欄を持つ手帳。
【発明の詳細な説明】
【技術分野】
【０００１】
この発明は、1週間分の横長の日ごと記入欄を上下に並設し、各日ごと記入欄に時間目盛りを入れた手帳に関するものである。
【背景技術】
【０００２】
予定を書き込めるようにした手帳はいろいろな構成を持つものが提案されている。手帳の使用者によっては、仕事の予定や、家族の予定、さらには自分自身の予定など、書き込みたい事項のカテゴリーが多くなることがある。特に仕事が多岐にわたり、それらの仕事の予定を時間的に重複して書き込む必要がある場合、例えば自分の仕事中に他社に仕事の連絡（電話など）をする予定などを書き込むことがある。また仕事を持つ主婦では、仕事と家族や子供のことだけでなく自分自身の予定も書き込む必要が生じることがある。
【０００３】
特許文献１には、日ごとの記入欄に時間を記入できるようにしたスケジュール表が開示されている（図４参照）。このスケジュール表は、左端に月日・曜日（１）を上下方向に並べて記載し、この表の上縁に沿って右方向に伸びる２４時間の時間帯（２）を設け、その時間帯（２）の下方にこの時間帯（２）と平行に１日あたり２本のスケジュール用補助線（３、４）を配し、上下２段に記入可能としたスケジュール表である。この場合一日ごとに上下２段の記入欄が形成でき、上段には例えば仕事関係などの他人との約束ごとをスケジュール化して書き込み、下段には自分だけの行動予定をスケジュール化する事項を書き込めるようにしたものである（段落００１５）。
【０００４】
またここには、各日ごと記入欄には、ページ上縁の時間帯（２）の時間に対応した位置から下方に伸びる時間補助線（５）を設け、この補助線（５）をメドにしてに予定時間に対応したスケジュール用補助線３、４上の位置に濃い線で予定時間を記入することが説明されている（段落００１１、００１５）。
【０００５】
特許文献２には、横（または縦）に長い日ごと記入欄の上下（または左右）の日分け用仕切り線に一日１２時間分の目盛りを付し、上（または左）の仕切り線の下方（右側）に朝から夕方までの１２時間分の記入を可能にし、下（または右）に夕方から翌日の朝までの１２時間分の記入を可能にした予定表が開示されている。すなわち、記入欄の上半分（左半分）にその日の朝から夕方までの予定を記入し、下半分（右半分）に同じ日の夕方から翌日朝までの予定を書き込めるようにしたものである。
【先行技術文献】
【特許文献】
【０００６】
【特許文献１】特開平０９−１９３５６９号公報
【特許文献２】実開昭６１−１５８４６９号公報
【発明の概要】
【発明が解決しようとする課題】
【０００７】
前記特許文献１に開示されたものは、日ごと記入欄に１日あたり２本の補助線を入れて日ごと記入欄に２つの記入スペースを形成しているが、前記したように３種類以上の予定を記入することができず、特に会社などの仕事や家庭などの仕事で忙しく働く人にとっては記入事項の時間スケジュールは錯綜し易い。またこの場合には、予定が記入しにくくまた読みにくいものになるという問題が有った。また１ページに例えば１週間分の日ごと記入欄を入れる場合には、各日ごと記入欄の時間を明確にするため、このページの上縁の時間帯（２）に記載された時間を示す時間補助線を各日ごと記入欄まで伸ばしているので、この時間補助線が予定を記入する際の邪魔になることになり、記入しにくくなるという問題もあった。
【０００８】
前記特許文献２に開示されたものは、一日の仕事時間（朝６時〜夕方６時）と夜の時間（夕方６時〜翌朝６時まで）を上下または左右に分けて記入するものであるが、仕事の予定と家族の予定など複数種（複数のカテゴリー）の予定を書き込むときには記入が錯綜し、混乱して確認しにくくなるという問題が有る。なおこの場合に記入欄の上半分（左半分）を仕事用に、下半分（右半分）を家庭用になどと記載領域を分けると共に、上下の（左右の）時間目盛りをともに朝６時から夕方６時までと決めておくことも可能である。しかしこの場合は、上下（左右）の２種類の記載領域しか確保することができず、３種類以上のカテゴリーに分けて記入することができないという問題が有った。
【０００９】
この発明はこのような事情に鑑みなされたものであり、３種以上の種類（カテゴリー）を混乱することなく明確に分けて記入することができ、複数の日ごと記入欄を横断する時間を示す時間補助線を設ける必要を無くして記入し易くした日記欄を持つ手帳を提供することを目的とするものである。
【課題を解決するための手段】
【００１０】
この発明によればこの目的は、左ページに一週間分の横長の日ごと記入欄を上下方向に並設し、各日ごと記入欄にはその長手方向に時間目盛りを付した日記欄を持つ手帳であって、各日ごと記入欄を分ける左右方向の日分け用の仕切り線と、これらの仕切り線に付された時間目盛りと、前記各日ごと記入欄の幅内を上下に仕分ける複数の補助線とを備え、前記補助線には前記時間目盛りに対応した位置にマークが付されていることを特徴とする日記欄を持つ手帳、により達成される。
【発明の効果】
【００１１】
この発明によれば、日分け用の仕切り線で挟まれた各日ごと記入欄の幅内に、複数の補助線を日分け用の仕切り線と平行に設けたので、日ごと記入欄を３以上の記入欄に分けることができ、３以上の種類の予定（例えば仕事、家庭、自分自身のことなどの予定）を各記入欄に分けて記入することができる。このためこれらの予定を混乱することなく整然と記入することができる。特にこれらの予定時間が重なっている場合にも明確に分けて記入することができ便利である。
【００１２】
またこれらの補助線には日分け用の仕切り線に付された時間目盛りに対応した位置にマークを付したから、各日ごと記入欄を横断する時間を示す補助線を入れる必要が無くなる。このため記入欄が時間補助線で分断されることがなく、予定などの書き込みがし易くなる。
【図面の簡単な説明】
【００１３】
【図１】本発明の一実施例を示す平面図
【図２】左ページの一部である日ごと記入欄を示す拡大図
【図３】この実施例の使用例を示す平面図
【図４】先行特許文献１に開示されている公知例を示す図
【発明を実施するための形態】
【００１４】
各日ごと記入欄内を仕分ける複数の補助線を２本として各日ごと記入欄を３行に分ければ、３つのカテゴリーの予定を分けて記入することができる（請求項２）。この場合は通常の縦長の手帳サイズのページに対して１週間分の記入欄を２７行（３行×７日）にすることができ記入欄の幅を記入しやすい幅にすることができる。しかしこの発明は、手帳のサイズや使用目的に応じて、日ごと記入欄を４行以上に分けるものであってもよい。
【００１５】
前記補助線は前記仕切り線よりも細く目立たない点線、破線とし、前記補助線に付したマークを前記時間目盛りに対応した位置に設けた小点とすることが望ましい（請求項３）。この場合には補助線やマークが目立たないので、複数行に分けた記入欄に記入する際に補助線が目立たなくなり、予定などを記入する際に邪魔にならない。
【００１６】
右ページには、前記左ページの仕切り線および補助線の延長上に設けた他の補助線を付しておき、これら他の補助線のうち前記仕切り線の延長上の補助線に前記日ごと記入欄の補助線に設けたマークと同じ間隔で他の補助マークを付しておけば、左ページの時間幅（例えば朝６時から夜１０時まで）を超える時間幅まで予定を記入できる。このため夜遅くまで予定を立てる必要がある特に忙しい人には便利である（請求項４）。なおここに付す他の補助線は、左ページの仕切り線と同様に目立たない色や点線、破線とし、また他のマークも左ページのマークと同様な小点とするのが良い。この場合には右ページは通常のメモページとしても使用することが可能であり、手帳の使用目的によって使用方法の選択自由度が増える。
【実施例１】
【００１７】
図１は本願発明に係る手帳を開いた状態を示す平面図であり、左側のページが使用者が記入する予定記入用ページ１０、右側のページがメモ用ページ１２である。これらのページ１０、１２は縦長であり、縦の綴じ部１４を中心にして左右に開閉可能である。メモ用ページ１２の側縁には１月から１２月までの各月を示すタグが設けられ、希望する月のページを開くことができる。この実施例では３月の最終週のページが開かれている。
【００１８】
左ページ１０には、横方向（水平方向）に長い月曜日から日曜日までの７つの日ごと記入欄１６が上から下方に向かって並列に設けられている。すなわち各日ごと記入欄１６は、水平な日分け用の仕切り線１８により区分けされている。最上部の仕分け線１８の上方には、左端に年号と月名が書き込まれている。これらの仕分け線１８は点を直線に沿って並べたものであり、点列の間にそれぞれ６時から２１時までの時間目盛り２０Ａが３時間ごとに付され、各時間の間は一時間ごとに小点（小さい黒丸）２０Ｂが等間隔に付されている。
【００１９】
なお一時間ごとの目盛り２０Ａ、小点２０Ｂの間には、３０分ごとにさらに小さい点が付されている。この発明では以下、これらの時間目盛り２０Ａおよび小点２０Ｂと、３０分ごとの目印となるさらに小さい点などを含めて単に時間目盛り２０ともいう。なお仕分け線１８および時間目盛り２０は細線と小さい数字を用いたり、淡色で描かれ、あまり目立たないようにして予定の記入時にこれらが邪魔になるのを防いでいる。
【００２０】
仕分け線１８で仕切られた各日ごと記入欄１６には、左端に日にち２４と、その下に曜日２６と、記念日などの記載がある。各日ごと記入欄１６には、左端付近を除いてその幅内を上下に仕分ける２本の補助線２８が水平に付されている。これらの補助線２８は小点を水平に並べた点線状であり、これらの補助線２８には、前記時間目盛り２０Ａの下方に対応する位置に小点からなるマーク３０が付されている（図２参照）。これらの補助線２８およびマーク３０は前記仕分け線１８と同様に淡い色であまり目立たないように描かれている。この結果それぞれの日ごと記入欄１６の幅内は、２本の補助線２８によって３行に区分けされている。
【００２１】
前記右ページ１２には、前記左ページ１０の仕切り線１８および補助線２８の延長上に設けた他の補助線３２（３２Ａ、３２Ｂ）が付されている。これら他の補助線３２のうち前記仕切り線１８の延長上の補助線３２Ａは、前記日ごと記入欄１６の補助線２８と同じ線とする。前記補助線２８の延長上の補助線３２Ｂは時間を示すマーク３０を省いたものであり、全長が点線、あるいは破線状である。これらの補助線３２は、前記日ごと記入欄１６の仕切り線１８および補助線２８と同様に、淡い色であまり目立たないように描かれている。
【００２２】
次にこの実施例の使用例を図３を用いて説明する。予定記入ページ１０の上部左側には日ごと記入欄１６の外側に沿って「０１ January  2015」（図１、２では「３ March 2015」）と年号と月が記入されているので、その右側のスペース１（黒丸１）を利用してここに１週間の目標（例えば「Ｋ社の商談をまとめる！」という目標）が書き込める。最上段の（月曜の）日ごと記入欄１６のスペース２（黒丸２）には、補助線２８の左側のスペースに該当日のイベントを、また補助線２８で区分けされた３行の記入欄には、それぞれ異なるカテゴリーなどに分けて予定を記入する。
【００２３】
例えば上の行には自社の予定を、中間の行には取引先（Ｃ社、Ｋ社など）との予定を、下の行には自分自身の個人的予定（同期会、クラス会など）を記入するように決めておく。各行に記入するカテゴリーの仕分けは使用者が自由に決めればよい。このとき予定時間を各行の上下の日分け用仕切り線１８や補助線２８に付された時間マーク２０Ａやマーク２０Ｂ、３０を用いて予定の開始時点と終了時点に○印を付し、これらを濃い色の実線で繋ぐことにより見やすくすることができる。
【００２４】
従来より、図４を用いて説明したように、日ごと記入欄をスケジュール用補助線（３）で仕切り、さらにこの記入欄内を他のスケジュール用補助線（４）で仕切って２行の記入欄を設けた手帳がある。しかしこの従来のものには、スケジュール用補助線（３、４）に時間の目安となるマークがない。このためページの上縁部に別途設けた時間帯（２）の時間に対応した位置から下方に伸びる時間補助線（５）を設けていた。この時間補助線（５）が無いと日ごとの予定時間を正確に書き込むのが難しくなり、この時間補助線（５）があると記入欄へ記入する際の邪魔になる。これに対して本願の実施例によればこのような不都合がなくなる。
【００２５】
また本実施例では、右ページ１２に、他の補助線３２があり、仕切り線１８の延長上の補助線３２Ａには時間を示すマークがあるから、これを使って左ページ１０の時間幅内に書き切れない予定を書き込むことができる（図３のスペース３（黒丸３））。すなわちこの右ページ１２を使うことにより２４時間の予定を書き込むことが可能である。
【００２６】
この右ページ１２の空いたスペース４（黒丸４）は、左ページ１０に書いた予定に関連するメモなどを自由に書き込むことができる。さらに図１から明らかなように、左ページ１０の下部には空白として右ページ１２の下部に連続するスペース５（黒丸５）を設けているから、１週間の行動を反省し、予定の達成具合と、次週の課題、テーマなどをここに記入することができる。すなわちこのスペース５（黒丸５）を１週間の振り返り事項を書き込むのに使用でき、便利である。
【符号の説明】
【００２７】
１０  左ページ（予定記入ページ）
１２  右ページ（メモ用ページ）
１６  日ごと記入欄
１８  仕分け線
２０  時間目盛り
２８  補助線
３０  マーク  
３２  他の補助線
【図２】
2015214126.tif 000003
【図４】
2015214126.tif 000004
【図１】
2015214126.tif 000005
【図３】
2015214126.tif 000006